(57)【要約】【課題】プラズマ表示装置及びその駆動装置を提供する。【解決手段】スイッチング制御信号を出力するスイッチング制御部５１２、スイッチング制御部５１２の出力端に連結され、スイッチング制御信号によりオン／オフされる第１スイッチングトランジスタ５１４、第１端が維持電圧を供給する第１電圧入力端と連結され、第１スイッチングトランジスタのオン／オフに対応して、オン／オフ制御される第２スイッチングトランジスタ５１６、及び一端が第２スイッチングトランジスタ５１６の第２端及び第１電極の接続点に連結され、第２スイッチングトランジスタの導通時維持電圧に対応して、充電される電圧を第１電極に供給するキャパシタを含む駆動装置を提供する。これにより、一つの電圧変換装置で維持電圧から所望のレベルの電圧を生成することはもちろん所定期間の間だけ電極に供給するように制御できる。【選択図】図２
2008170922.tif 000002
【特許請求の範囲】
【請求項１】
第１電極、第２電極、及び前記第１及び第２電極と交差する方向に形成される第３電極を含むプラズマ表示パネルの前記第１電極を駆動するプラズマ表示装置の駆動装置であって、
スイッチング制御信号を出力するスイッチング制御部と、
制御電極が前記スイッチング制御部の出力端に連結され、前記スイッチング制御信号によりオン／オフされる第１スイッチングトランジスタと、
第１端が維持期間の間に前記第１電極に供給される維持電圧を供給する第１電圧入力端と連結され、制御電極が前記第１スイッチングトランジスタに連結されていて、前記第１スイッチングトランジスタのオン／オフに対応してオン／オフ制御される第２スイッチングトランジスタと、
一端が前記第２スイッチングトランジスタの第２端及び前記第１電極の接続点に連結され、前記第２スイッチングトランジスタの導通時前記維持電圧に対応して充電される電圧を前記第１電極に供給するキャパシタと、
を含む、駆動装置。
【請求項２】
前記充電される電圧は、アドレス期間の間前記第１電極に供給されるバイアス電圧である、請求項１に記載の駆動装置。
【請求項３】
片端が前記第１電圧入力端に連結され、他端が前記第２スイッチングトランジスタの制御電極に連結される第１抵抗と、
片端が前記第１抵抗の他端に連結され、他端が前記第１スイッチングトランジスタの第１端と共通に接地端に連結される第２抵抗と、
片端が前記第１及び第２抵抗の接続点に連結され、他端が前記第１スイッチングトランジスタの第２端に連結される第３抵抗を更に含む、請求項２に記載の駆動装置。
【請求項４】
前記第３抵抗は、前記第２抵抗の抵抗値に比べて非常に小さい抵抗値を有する、請求項３に記載の駆動装置。
【請求項５】
前記キャパシタは、その片端が前記第２スイッチングトランジスタの第２端及び前記第１電極の接続点に連結され、他端が前記接地端に連結される、請求項３に記載の駆動装置。
【請求項６】
カソードが前記第２スイッチングトランジスタのゲート電極に連結され、アノードが前記第２スイッチングトランジスタの第２端及び前記第１キャパシタの接続点に連結されるツェナーダイオードを更に含む、請求項５に記載の駆動装置。
【請求項７】
片端が前記第１電圧入力端と連結され、他端が前記第２スイッチングトランジスタの第１端に連結される第４抵抗を更に含む、請求項６に記載の駆動装置。
【請求項８】
前記スイッチング制御信号は、ハイレベルまたはローレベルのロジック信号である、請求項１に記載の駆動装置。
【請求項９】
前記第１スイッチングトランジスタはバイポーラトランジスタであり、前記第２スイッチングトランジスタは電界効果トランジスタである、請求項１乃至請求項７のうち何れか一つの項に記載の駆動装置。
【請求項１０】
前記第１スイッチングトランジスタの第１端及び第２端はそれぞれエミッタとコレクターであり、前記第２スイッチングトランジスタの第１端及び第２端はそれぞれドレーンとソースである、請求項９に記載の駆動装置。
【請求項１１】
第１電極、第２電極、及び前記第１及び第２電極と交差する方向に形成される第３電極を含むプラズマ表示パネルと、
前記第１乃至第３電極を駆動する第１乃至第３駆動回路部と、
前記第１乃至第３駆動回路部に制御信号を印加する制御部と、
前記第１乃至第３駆動回路部及び前記制御部に前記プラズマ表示パネルの駆動のための複数の電圧を供給する電源供給部を含み、
前記第１駆動回路部は、
前記制御信号に対応して、スイッチング制御信号を出力するスイッチング制御部と、
第１端が前記電源供給部からの電圧のうち維持期間に前記第１電極に供給される維持電圧を供給する第１電圧入力端と連結され、前記スイッチング制御信号に対応してオン／オフされる第１スイッチングトランジスタと、
前記第１スイッチングトランジスタの導通時前記第１スイッチングトランジスタの第１端から第２端を通して印加され、前記維持電圧によって充電された電圧をアドレス期間の間前記第１電極に供給するキャパシタと、
を含む、プラズマ表示装置。
【発明の詳細な説明】
【技術分野】
【０００１】
本発明はプラズマ表示装置及びその駆動装置に係り、特に、プラズマ表示装置のアドレス電圧供給回路に関するものである。
【背景技術】
【０００２】
プラズマ表示装置は気体放電によって生成されたプラズマを用いて、文字または映像を表示する装置である。このようなプラズマ表示パネルには、その大きさにより数十から数百万個以上の放電セルがマトリックス形態に配列されている。
【０００３】
一般にプラズマ表示装置では、１フレームが複数のサブフィールドに分割されて駆動され、複数のサブフィールドのうち表示動作が起こるサブフィールドの加重値の組み合わせによって階調が表示される。各サブフィールドのアドレス期間の間点灯されるセルと点灯されないセルが選択され、維持期間の間実際に映像を表示するために点灯されるセルに対して維持放電が行われる。
【０００４】
このような動作を行うために、アドレス期間の間互いに平行に対を構成する複数の互いに異なる二つの電極のうちの一方の電極に所定電圧が持続的に印加され、他方の電極には点灯されるセルであるか点灯されないセルであるかどうかにより他の電圧が印加される。
【０００５】
従来プラズマ表示装置は、二つの電極のうちの一つの電極に持続的に印加される所定電圧を生成するために維持期間の間維持放電を遂行する電極に交互に印加するために生成されるハイレベル電圧とローレベル電圧のうちハイレベル電圧、つまり維持電圧を変換する電圧変換装置と、これによって所定電圧だけ降圧された電圧をアドレス期間の間にだけ電極に供給するための電源供給装置を別途に備える。
【０００６】
しかしながら、上述した従来プラズマ表示装置は高集積低コストを実現しにくくてより少ない数の部品を用いて、レイアウト面積が少ないプラズマ表示装置に対する要求が大きくなってきた。
【発明の開示】
【発明が解決しようとする課題】
【０００７】
本発明の目的は、一つの電圧変換装置で維持電圧から所望のレベルの電圧を生成することはもちろん所定期間の間だけ電極に供給するように制御できるように実現するプラズマ表示装置及びその駆動装置を提供することにある。
【課題を解決するための手段】
【０００８】
上記課題を解決するために本発明の特徴によるプラズマ表示装置の駆動装置は、第１電極、第２電極、及び前記第１及び第２電極と交差する方向に形成される第３電極を含むプラズマ表示パネルの前記第１電極を駆動するプラズマ表示装置の駆動装置であって、
スイッチング制御信号を出力するスイッチング制御部と、制御電極が前記スイッチング制御部の出力端に連結され、前記スイッチング制御信号によりオン／オフされる第１スイッチングトランジスタと、第１端が維持期間の間に前記第１電極に供給される維持電圧を供給する第１電圧入力端と連結され、制御電極が前記第１スイッチングトランジスタに連結されていて、前記第１スイッチングトランジスタのオン／オフに対応してオン／オフ制御される第２スイッチングトランジスタと、一端が前記第２スイッチングトランジスタの第２端及び前記第１電極の接続点に連結され、前記第２スイッチングトランジスタの導通時前記維持電圧に対応して充電される電圧を前記第１電極に供給するキャパシタと、を含む。
【０００９】
また、本発明の特徴によるプラズマ表示装置は、第１電極、第２電極、及び前記第１及び第２電極と交差する方向に形成される第３電極を含むプラズマ表示パネルと、前記第１乃至第３電極を駆動する第１乃至第３駆動回路部と、前記第１乃至第３駆動回路部に制御信号を印加する制御部と、前記第１乃至第３駆動回路部及び前記制御部に前記プラズマ表示パネルの駆動のための複数の電圧を供給する電源供給部を含み、前記第１駆動回路部は、前記制御信号に対応して、スイッチング制御信号を出力するスイッチング制御部と、第１端が前記電源供給部からの電圧のうち維持期間に前記第１電極に供給される維持電圧を供給する第１電圧端子と連結され、前記スイッチング制御信号に対応してオン／オフされる第１スイッチングトランジスタと、前記第１スイッチングトランジスタの導通時前記第１スイッチングトランジスタの第１端から第２端を通して印加され、前記維持電圧によって充電される第１電圧をアドレス期間の間前記第１電極に供給するキャパシタと、を含む。
【発明の効果】
【００１０】
本発明によれば、維持電圧に対応してキャパシタに充電される電圧を第１電極に供給することができる回路を設けたので、一つの電圧変換装置で維持電圧から所望のレベルの電圧を生成することはもちろん、この電圧を所定期間の間だけ電極に供給することができるようになる。このため、従来電源供給装置に含まれる電圧変換装置と電源供給装置を一つの駆動回路で実現したバイアス電圧生成装置を構成することができ、コストがより低減されて集積度が高いプラズマ表示装置を実現できる。
【発明を実施するための最良の形態】
【００１１】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。図面で本発明を明確に説明するために説明と関係ない部分は省略し、明細書全体を通じて類似した部分については同一図面符号で示すものとする。
【００１２】
明細書全体で、どんな部分が他の部分と“連結”されているという時、これは“直接的に連結”されている場合だけでなく、その中間に他の素子を間において“電気的に連結”されている場合も含む。また、どんな部分がどんな構成要素を“含む”とする時、これは特に反対になる記載がない限り他の構成要素を除くものではなく、他の構成要素を更に含むことができることを意味する。
【００１３】
さて、本発明の実施形態によるプラズマ表示装置及びその駆動装置について図面を参照して詳細に説明する。
【００１４】
まず、本発明の一実施形態によるプラズマ表示装置の概略的な構造について図１を参照して詳細に説明する。
【００１５】
図１は、本発明の実施形態によるプラズマ表示装置を示すブロック図である。
【００１６】
図１に示すように、本発明の実施形態によるプラズマ表示装置はプラズマ表示パネル１００、制御装置２００、アドレス電極駆動部３００、走査電極駆動部４００、維持電極駆動部５００及び電源供給装置６００を含む。
【００１７】
プラズマ表示パネル１００は列方向にのびている複数のアドレス電極（Ａ１〜Ａｍ（第３電極））、そして行方向に互いに対を構成しながらのびている複数の維持電極（Ｘ１〜Ｘｎ（第１電極））及び走査電極（Ｙ１〜Ｙｎ（第２電極））を含む。
【００１８】
維持電極（Ｘ１〜Ｘｎ）は各走査電極（Ｙ１〜Ｙｎ）に対応して設けられている。維持電極（Ｘ１〜Ｘｎ）は一般にその一端が互いに共通に連結されている。
【００１９】
そしてプラズマ表示パネル１００は、維持電極（Ｘ１〜Ｘｎ）及び走査電極（Ｙ１〜Ｙｎ）が配列された基板（図示せず）とアドレス電極（Ａ１〜Ａｍ）が配列された基板（図示せず）からなる。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）がそれぞれ直交するように放電空間を間において対向して配置される。この時、アドレス電極（Ａ１〜Ａｍ）、維持電極（Ｘ１〜Ｘｎ）及び走査電極（Ｙ１〜Ｙｎ）の交差部にある放電空間が放電セルを形成する。
【００２０】
このようなプラズマ表示パネル１００の構造は一例であり、以下で説明する駆動波形が適用できる他の構造のパネルも本発明に適用される。
【００２１】
制御装置２００は、外部から映像信号を受信して、アドレス電極駆動制御信号（Ｓａ）、維持電極駆動制御信号（Ｓｘ）及び走査電極駆動制御信号（Ｓｙ）を出力する。そして制御装置２００は、１フレームを複数のサブフィールドに分割して駆動し、各サブフィールドは時間的な動作変化で表現すればリセット期間、アドレス期間及び維持期間からなる。また、制御装置２００は電源供給装置６００から伝達されたＤＣ電圧を用いて、アドレス期間にアドレスされないセルに印加されるスキャンハイ電圧（Ｖｓｃａｎ＿ｈ）を生成して、走査電極駆動部４００または維持電極駆動部５００に伝達する。
【００２２】
アドレス電極駆動部３００は、制御装置２００からアドレス電極駆動制御信号（Ｓａ）を受信して表示しようとする放電セルを選択するための表示データ信号を各アドレス電極に印加する。
【００２３】
走査電極駆動部４００は、制御装置２００から走査電極駆動制御信号（Ｓｙ）を受信して、走査電極（Ｙ）に駆動電圧を印加する。
【００２４】
維持電極駆動部５００は、制御装置２００から維持電極駆動制御信号（Ｓｘ）を受信して、維持電極（Ｘ）に駆動電圧を印加する。
【００２５】
電源供給装置６００は、プラズマ表示装置の駆動に必要な電源を制御装置２００及び各駆動部３００、４００、５００に供給する。
【００２６】
図２は、本発明の実施形態によるプラズマ表示装置の駆動波形を示した図面である。
【００２７】
図２に示すプラズマ表示装置の駆動波形は一つのサブフィールド内の駆動波形だけを示すものであり、プラズマ表示パネル（図１の１００）の一つのサブフィールドは制御部（図１の２００）の制御による維持電極（Ｘ（第１電極））、走査電極（Ｙ（第２電極））及びアドレス電極（Ａ（第３電極））の入力電圧の変動に応じてリセット期間、アドレス期間及び維持期間からなる。
【００２８】
まず、リセット期間について説明する。リセット期間は上昇期間と下降期間からなる。上昇期間ではアドレス電極（Ａ）及び維持電極（Ｘ）を基準電圧（図２では０Ｖ）に維持した状態で、走査電極（Ｙ）の電圧をＶｓ電圧からＶｓｅｔ電圧まで漸進的に増加させる。走査電極（Ｙ）電圧の増加は、走査電極（Ｙ）と維持電極（Ｘ）の間及び走査電極（Ｙ）とアドレス電極（Ａ）の間での微弱な放電（以下、“弱放電”という。）を誘発して、これによって走査電極（Ｙ）には（−）壁電荷が形成され、維持電極（Ｘ）及びアドレス電極（Ａ）には（＋）壁電荷が形成される。走査電極（Ｙ）の電圧がＶｓｅｔに到達した時に形成される壁電荷による各電極間の壁電圧と外部印加電圧の和は放電開始電圧（Ｖｆ）と同じである。リセット期間で全てのセルの状態は初期化されなければならなく、これによってＶｓｅｔ電圧は全ての条件のセルで放電が起こることができる程度の高電圧で設定される。一方、図２では走査電極（Ｙ）電圧がランプ形態に単調増加または単調減少する場合を示したが、これとは違って漸進的に増加または減少する他の形態の波形が印加されてもよい。
【００２９】
下降期間ではアドレス電極（Ａ）及び維持電極（Ｘ）をそれぞれ基準電圧及びＶｅ電圧に維持させた状態で走査電極（Ｙ）の電圧をＶｓ電圧からＶｎｆ電圧まで漸進的に減少させる。走査電極（Ｙ）電圧の減少は、走査電極（Ｙ）と維持電極（Ｘ）の間及び走査電極（Ｙ）とアドレス電極（Ａ）との間での弱放電を誘発して、これによって上昇期間の間走査電極（Ｙ）に形成された（−）壁電荷及び維持電極（Ｘ）とアドレス電極（Ａ）に形成された（＋）壁電荷が消去される。この結果、走査電極（Ｙ）の（−）壁電荷と維持電極（Ｘ）の（＋）壁電荷及びアドレス電極（Ａ）の（＋）壁電荷が減少する。この時、アドレス電極（Ａ）の（＋）壁電荷はアドレス動作に適当な量まで減少する。一般に（Ｖｎｆ−Ｖｅ）電圧の大きさは、走査電極（Ｙ）と維持電極（Ｘ）の間の放電開始電圧（Ｖｆ）近傍に設定されて、これによって走査電極（Ｙ）と維持電極（Ｘ）の間の壁電圧の差が殆ど０Ｖに近くなってアドレス期間でアドレス放電が起こらないセルが維持期間で誤放電することを防止する。
【００３０】
上述したリセット期間のうち下降期間は各サブフィールド当り一回ずつ必須的に存在しなければならない。これとは反対に、上昇期間は制御部（図１の２００）に既に設定された制御プログラムにより各サブフィールド別に存在の如何が決定される。
【００３１】
アドレス期間では発光するセルを選択するために維持電極（Ｘ）にＶｅ電圧を印加した状態で複数の走査電極（Ｙ）に順次にＶｓｃＬ電圧（走査電圧）を有する走査パルスを印加する。この時、ＶｓｃＬ電圧が印加された走査電極（Ｙ）によって形成される複数のセルのうちの発光するセルを通過するアドレス電極（Ａ）にアドレス電圧を印加する。これによって、アドレス電圧が印加されたアドレス電極（Ａ）とＶｓｃＬ電圧が印加された走査電極（Ｙ）の間及びＶｓｃＬ電圧が印加された走査電極（Ｙ）とアドレス電圧が印加されたアドレス電極（Ａ）に対応する維持電極（Ｘ）の間でアドレス放電が起こって走査電極（Ｙ）に（＋）壁電荷が形成され、アドレス電極（Ａ）及び維持電極（Ｘ）にそれぞれ（−）壁電荷が形成される。この時、ＶｓｃＬ電圧はＶｎｆ電圧と同じであるか、低いレベルで設定される。一方、ＶｓｃＬ電圧が印加されない走査電極（Ｙ）にはＶｓｃＬ電圧より高いＶｓｃＨ電圧（非走査電圧）が印加され、選択されない放電セルのアドレス電極（Ａ）には基準電圧が印加される。
【００３２】
維持期間では走査電極（Ｙ）と維持電極（Ｘ）にハイレベル電圧（図２ではＶｓ電圧）とローレベル電圧（図２では０Ｖ電圧）を交互に有する維持放電パルスを反対位相に印加する。これによって、走査電極（Ｙ）にＶｓ電圧が印加される時、維持電極（Ｘ）に０Ｖ電圧が印加され、維持電極（Ｘ）にＶｓ電圧が印加される時、走査電極（Ｙ）に０Ｖ電圧が印加され、アドレス放電によって、走査電極（Ｙ）と維持電極（Ｘ）間に形成された壁電圧とＶｓ電圧によって、走査電極（Ｙ）と維持電極（Ｘ）で放電が起こる。以後、走査電極（Ｙ）と維持電極（Ｘ）に維持放電パルスを印加する過程は当該サブフィールドが表示する加重値に対応する回数ぐらい反復される。
【００３３】
一方、スイッチング制御部出力信号は、本発明の実施形態によるプラズマ表示装置の駆動波形のうち維持電極（Ｘ）の駆動波形を生成する維持電極駆動部（図１の５００）と関連したものであり、図３を参照して後述する。
【００３４】
図３は、本発明の実施形態による維持電極駆動部を示す図面である。
【００３５】
図３に示すように、本発明の実施形態による維持電極駆動部５００はバイアス電圧生成部５１０及び維持駆動部５２０を含む。
【００３６】
バイアス電圧生成部５１０はＶｅ電圧（バイアス電圧）を維持電極（Ｘ）に供給するためのものであり、スイッチング制御部５１２、ベース（制御電極）がスイッチング制御部５１２の出力端に連結され、エミッタ（第１端）が接地端に連結されるバイポーラトランジスタ（第１スイッチングトランジスタ）５１４、Ｖｓ電圧入力端（第１電圧入力端）に一端が連結された抵抗（Ｒ１（第４抵抗））の他端にドレーン（第１端）が連結される電界効果トランジスタ（以下、ＦＥＴ（第２スイッチングトランジスタ））５１６、片端がＶｓ電圧入力端に連結され、他端がＦＥＴ５１６のゲート（制御電極）に連結される抵抗（Ｒ２（第１抵抗））、片端が抵抗（Ｒ２）の他端に連結され、他端がバイポーラトランジスタ５１４のコレクター（第２端）に連結される抵抗（Ｒ３（第３抵抗））、片端が抵抗（Ｒ２）と抵抗（Ｒ３）の接続点に連結され、他端が接地端に連結される抵抗（Ｒ４（第２抵抗））、カソードがＦＥＴ５１６のゲートに連結され、アノードがＦＥＴ５１６のソース（第２端）に連結されるツェナーダイオード（Ｄ１）及び片端がツェナーダイオード（Ｄ１）のアノード及び維持電極（Ｘ）の接続点に連結され、他端が接地端に連結されるキャパシタ（Ｃ１）を含む。
【００３７】
スイッチング制御部５１２は制御装置２００から入力される制御信号により駆動され、ハイレベルまたはローレベルの制御信号をバイポーラトランジスタ５１４のベースに出力する。
【００３８】
バイポーラトランジスタ５１４は、スイッチング制御部５１２から入力される制御信号によってオン／オフされる。ここで、抵抗（Ｒ３）の抵抗値は抵抗（Ｒ４）の抵抗値に比べて非常に小さく設定される。そのためバイポーラトランジスタ５１４が導通されれば、Ｖｓ電圧入力端から入力される維持電圧（Ｖｓ）は抵抗（Ｒ２）、抵抗（Ｒ３）及びバイポーラトランジスタ５１４によって、接地端に流れてＦＥＴ５１６が遮断されてＶｅ電圧を維持電極（Ｘ）に供給しない。反対に、バイポーラトランジスタ５１４が遮断されれば、Ｖｓ電圧入力端から入力される維持電圧（Ｖｓ）は抵抗（Ｒ２）及び抵抗（Ｒ４）を通じて接地端に流れて、これにより抵抗（Ｒ２）と抵抗（Ｒ４）の抵抗値の比率に対応して、分配された電圧がＦＥＴ５１６のゲートに印加されてＦＥＴ５１６が導通される。ＦＥＴ５１６が導通されれば、Ｖｓ電圧入力端から入力される電圧のうちキャパシタ（Ｃ１）に充電されるＶｅ電圧が維持電極（Ｘ）に供給される。
【００３９】
つまり、ＦＥＴ５１６が導通されることによって抵抗（Ｒ１）とキャパシタ（Ｃ１）は等価的にＲＣ直列回路を形成し、Ｖｓ電圧入力端から抵抗（Ｒ１）及びＦＥＴ５１６を通じて、電流が流れるようになってキャパシタ（Ｃ１）に電圧が充電される。この時、キャパシタ（Ｃ１）に充電される電圧が維持電極（Ｘ）に供給されて、維持電極（Ｘ）の電圧がＶｅ電圧まで上昇するようになる。ここで、キャパシタ（Ｃ１）は維持電極（Ｘ）の電圧がＶｅ電圧より高く上昇することを防止するために適切な充電容量を有する。
【００４０】
つまり、スイッチング制御部５１２から出力される制御信号によってＦＥＴ５１６の導通／遮断が制御されて、これにより維持電極（Ｘ）に選択的にＶｅ電圧を印加できる。ここで、図２に示す本発明の実施形態によるプラズマ表示装置の維持電極（Ｘ）の駆動波形を生成するためのスイッチング制御部５１２出力信号はリセット期間のうち走査電極（Ｙ）に印加される電圧の下降と同時にローレベルで変更されて、維持期間の開始と同時にハイレベルで変更される。ＦＥＴ５１６は、スイッチング制御部５１２がローレベルである時に導通され、ハイレベルである時に遮断されるので、維持電極駆動部５００はリセット期間で走査電極（Ｙ）に印加される電圧の下降時点から維持期間の開始時点まで維持電極（Ｘ）にＶｅ電圧を供給する。
【００４１】
一方、ツェナーダイオード（Ｄ１）は抵抗（Ｒ２）と抵抗（Ｒ４）の抵抗値の比率に対応して分配され、ＦＥＴ５１６のゲートに印加される電圧が所定電圧以上である場合発生可能なＦＥＴ５１６の破損を防止するためのものであり、所定電圧以上の電圧がＦＥＴ５１６のゲートに印加されれば、これをキャパシタ（Ｃ１）を充電することに用いて、ＦＥＴ５１６のゲートでは導通に適当な電圧だけを伝達させる。
【００４２】
また、図３に示さないが、バイアス電圧生成部５１０はアノードがキャパシタ（Ｃ１）の一端に連結され、カソードが維持電極（Ｘ）に連結されるダイオードを更に含むことができる。これによって、キャパシタ（Ｃ１）をより内圧が少ないキャパシタで代替できて回路実現コストの節減に有利なことはもちろん、ＦＥＴ５１６の導通／遮断によるキャパシタ（Ｃ１）のリップルを減少させることができるので、キャパシタ（Ｃ１）の寿命を延長させて、バイアス電圧生成部５１０の出力信号の信頼性を増加させることができる。
【００４３】
維持駆動部５２０は、ドレーンが維持電圧（Ｖｓ）を供給する電源入力端に連結され、ソースが維持電極（Ｘ）と連結されるＦＥＴ５２２とドレーンが維持電極（Ｘ）と連結され、ソースが接地端に連結されるＦＥＴ５２４を含む。ＦＥＴ５２２及びＦＥＴ５２４はそれぞれ制御装置２００から入力される制御信号により駆動されてサブフィールドの維持期間に維持電極（Ｘ）に印加されるＶｓ電圧を出力する。
【００４４】
一方、図３に示さないが、維持駆動部５２０はエネルギー回収回路（Ｅｎｅｒｇｙ  Ｒｅｃｏｖｅｒｙ  Ｃｉｒｃｕｉｔ；ＥＲＣ）を更に含むことができ、バイポーラトランジスタ５１４及びＦＥＴ５１６はそれぞれ他のスイッチング素子で代替できる。
【００４５】
また、図３に示すこととは違って、走査電極駆動部４００にバイアス電圧生成部５１０が含まれ、アドレス期間の間バイアス電圧生成部５１０によって、生成されるバイアス電圧を走査電極（Ｙ）に供給し、維持電極駆動部５００はパネルキャパシタ（Ｃｐ）が維持期間に放電されるか否かにより維持電極（Ｘ）に他の電圧を供給するように実現してもよい。
【００４６】
図３に示すように、バイアス電圧生成部５１０は従来プラズマ表示装置とは違って、維持駆動部５２０の電源電圧であるＶｓ電圧を電源として用いる。バイアス電圧生成部５１０は、従来Ｖｓ電圧の電圧レベルを変換させて、所望のレベルの電圧を生成するために電源供給装置（図１の６００）に含まれる電圧変換装置とこれによって生成された電圧をアドレス期間の間維持電極（Ｘ）に供給するために維持電極駆動部５００または走査電極駆動部４００に含まれる電源供給装置を一つの駆動回路で実現したものであり、従来に比べて部品数及びレイアウト面積を縮めさせることができる。
【００４７】
以上、本発明の好ましい実施形態について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００４８】
【図１】本発明の実施形態によるプラズマ表示装置を示すブロック図である。
【図２】本発明の実施形態によるプラズマ表示装置の駆動波形を示した図面である。
【図３】本発明の実施形態による維持電極駆動部を示した図面である。
【符号の説明】
【００４９】
１００…プラズマ表示パネル、
２００…制御装置、
３００…アドレス電極駆動部、
４００…走査電極駆動部、
５００…維持電極駆動部、
５１２…スイッチング制御部、
５１４…バイポーラトランジスタ、
５１６…ＦＥＴ、
６００…電源供給装置、
Ａ…アドレス電極、
Ｖｆ…放電開始電圧、
Ｘ…維持電極、
Ｙ…走査電極。
【図１】
2008170922.tif 000003
【図２】
2008170922.tif 000004
【図３】
2008170922.tif 000005